(57)【要約】【課題】  従来の超音波洗浄装置では、常に棒状ホーン１の傾斜面１ａとワークの微小間隙の間に洗浄液を流入しなければ、被洗浄体の回転による遠心力で外側に洗浄液が流れてしまうという問題があつた。  【解決手段】  １は棒状ホーン、１ａは傾斜面、１ｂは膨大部、２は圧電体振動子、３は振動子ケース、５はネジ、６はケーブル、６ａはコードで、これらの構成は上記従来例と同じであるので、説明は省略するが、本実施例では、棒状ホーン１に微少間隙を開けて囲むように構成された洗浄液ケース７が形成され、この洗浄液ケース７の上端７ａは膨大部１ｂの上部に固着された支持部８にねじ９によりねじ止めされ、又、洗浄液ケース７の下端７ｂは棒状ホーン１の傾斜面１ａより僅かに長く形成され、さらに、洗浄液ケース７の側部に洗浄液供給口１０が固着されている。【選択図】図１
2010260016.tif 000002
【特許請求の範囲】
【請求項１】
一端に超音波放射面としての傾斜面が形成され、他端に圧電体振動子を装着した超音波伝播体の棒状ホーンと、前記圧電体振動子を覆うように装着された振動子ケースと、該振動子ケースの端部に通され、前記圧電体振動子に接続するケーブルと、前記棒状ホーンに微少間隙を開けて周囲を囲み、前記棒状ホーンの傾斜面側の一端部が開放されて前記棒状ホーンの長さより僅かに長く、前記棒状ホーンと同じ傾斜面を有し、他端は前記振動子ケース近傍の前記棒状ホーンに固定された洗浄液ケースとからなり、前記洗浄液ケースの端部をワークに接触させることにより、該ワークに対向して棒状ホーンの傾斜面が微小間隔を保って装着され、前記洗浄液ケースに洗浄液を供給し、前記洗浄液ケース内を通って、前記棒状ホーンの前記傾斜面に洗浄液を流入し、前記ワークを洗浄することを特徴とする超音波洗浄装置。
【発明の詳細な説明】
【技術分野】
【０００１】
本発明は、棒状ホーンの周囲の洗浄液ケースに洗浄液を供給し、棒状ホーンの傾斜面から超音波を照射するようにしてワークを洗浄する超音波洗浄装置に関するものである。
【背景技術】
【０００２】
従来、図２に示すように、棒状ホーン１の一端が斜めに切断されて、傾斜面１ａが形成され、棒状ホーン１の他端に膨大部１ｂが構成されて、この膨大部１ｂに圧電体振動子２が装着され、この圧電体振動子２を覆うように振動子ケース３が棒状ホーン１の膨大部１ｂにパッキン４を介して固定され、振動子ケース３の端部をケーブル５が貫通し、ケーブル５のコード５ａが圧電体振動子２に接続されている。
【０００３】
このように構成された従来の超音波洗浄装置では、棒状ホーン１の傾斜面１ａを基板等の被洗浄体に微小間隙を開けて対向して装着し、棒状ホーン１の傾斜面１ａと被洗浄体の微小間隙の間に洗浄液を流入して、図示しない発振器から発振出力を圧電体振動子２に印加すると、圧電体振動子２から照射された超音波は棒状ホーン１の傾斜面１ａに伝達され、この傾斜面１ａからワークとの間に流入された洗浄液を介してワークの表面に付着している汚物や汚れを洗浄することができる。
【０００４】
しかしながら、従来の超音波洗浄装置では、常に棒状ホーン１の傾斜面１ａとワークの微小間隙の間に洗浄液を流入しなければ、被洗浄体の回転による遠心力で外側に洗浄液が流れてしまうという欠点があつた。
【特許文献１】特開２００６−３２６４８６
【発明の開示】
【発明が解決しようとする課題】
【０００５】
解決しようとする問題点は、従来の超音波洗浄装置では、常に棒状ホーン７の傾斜面７ａと被洗浄体の微小間隙の間に洗浄液を流入しなければ、被洗浄体の回転による遠心力で外側に洗浄液が流れてしまうという問題がある。
【課題を解決するための手段】
【０００６】
本発明では、一端に超音波放射面としての傾斜面が形成され、他端に圧電体振動子を装着した超音波伝播体の棒状ホーンと、前記圧電体振動子を覆うように装着された振動子ケースと、該振動子ケースの端部に通され、前記圧電体振動子に接続するケーブルと、前記棒状ホーンに微少間隙を開けて周囲を囲み、前記棒状ホーンの傾斜面側の一端部が開放されて前記棒状ホーンの長さより僅かに長く、前記棒状ホーンと同じ傾斜面を有し、他端は前記振動子ケース近傍の前記棒状ホーンに固定された洗浄液ケースとからなり、前記洗浄液ケースの端部をワークに接触させることにより、該ワークに対向して棒状ホーンの傾斜面が微小間隔を保って装着され、前記洗浄液ケースに洗浄液を供給し、前記洗浄液ケース内を通って、前記棒状ホーンの前記傾斜面に洗浄液を流入し、前記ワークを洗浄するものである。
【発明の効果】
【０００７】
本発明の超音波洗浄装置では、洗浄液ケースの端部をワークに接触させることにより、棒状ホーンの傾斜面がワークに対向して微小間隔を保って装着することができ、洗浄液ケースに洗浄液を供給することにより、洗浄液ケース内を通って棒状ホーンの傾斜面に洗浄液が流入され、棒状ホーンの傾斜面に洗浄液が保持されて、ワークを洗浄することができるという利点がある。
【図面の簡単な説明】
【０００８】
【図１】本発明の実施例の超音波洗浄装置の側面断面図である。
【図２】従来の超音波洗浄装置の斜視図である。
【発明を実施するための形態】
【０００９】
本発明では、洗浄液ケースは棒状ホーンに微少間隙を開けて周囲を囲み、棒状ホーンの傾斜面側の一端部が開放されて棒状ホーンの長さより僅かに長く、棒状ホーンと同じ傾斜面を有し、他端は振動子ケース近傍の前記棒状ホーンに固定されることにより、洗浄液ケース内を通って棒状ホーンの傾斜面に洗浄液が流入され、棒状ホーンの傾斜面に洗浄液が保持されて、ワークが洗浄される。
【実施例】
【００１０】
図１は本発明の実施例の超音波洗浄装置の側面断面図で、１は棒状ホーン、１ａは傾斜面、１ｂは膨大部、３は振動子ケース、５はケーブルで、これらの構成は上記従来例と同じであるので、説明は省略するが、本実施例では、棒状ホーン１に微少間隙を開けて囲むように構成された洗浄液ケース７が形成され、この洗浄液ケース７の上端７ａは膨大部１ｂの上部に固着された支持部８にねじ９によりねじ止めされ、又、洗浄液ケース７の下端７ｂは棒状ホーン１の傾斜面１ａより僅かに長く形成され、さらに、洗浄液ケース７の側部に洗浄液供給口１０が固着されている。
【００１１】
このように構成した本実施例の超音波洗浄装置では、図１に示すように、台１１の上に載置したワーク１２の上に洗浄液ケース７の下端７ｂを接触させて、洗浄液供給口１０より洗浄液１３を供給すると、洗浄液１３は棒状ホーン１の傾斜面１ａとワーク１２の間に溜まり、過剰な洗浄液１３は洗浄液ケース７の下端７ｂとワーク１２の間から流れる。
【００１２】
本発明は、このように洗浄液ケース７の内部に洗浄液１３を供給することにより、洗浄液ケース７と棒状ホーン１の下端１ｂの周囲に洗浄液が溜まるので、この洗浄液に向けて棒状ホーン１の傾斜面１ａから超音波を照射することにより、ワーク１２を洗浄することができる。 
【産業上の利用可能性】
【００１３】
なお、本発明の上記実施例では、ワーク１２を平らな面として示したが、湾曲した面であっても、洗浄液１３は棒状ホーン１の傾斜面１ａとワーク１２の間に溜めることができ、過剰な洗浄液１３は洗浄液ケース７の下端７ｂとワーク１２の間から流すことができる。
【符号の説明】
【００１４】
１                棒状ホーン
２                圧電体振動子
３                振動子ケース
６                ケーブル
７                洗浄液ケース
８                支持部
９                ねじ
１０              洗浄液供給口
１１              台
１２              ワーク
１３              洗浄液
【図１】
2010260016.tif 000003
【図２】
2010260016.tif 000004